(57)【特許請求の範囲】
【請求項１】
フィルタ・システムの試験装置（１０）であって、
少なくとも２つの試験ユニット（１４）であって、それぞれが１つまたは複数のフィルタ装置（１８）用の試験プログラムまたは試験プログラム命令の順序を制御する制御ユニット（６０）と、該制御ユニット（６０）によって制御される、圧力を供給かつ測定するための空圧ユニット（６２）と、試験プログラム命令および／または試験結果を処理するためのデータ処理ユニット（６０ａ）と、少なくとも１つの試験プログラム命令および試験結果を記憶するための記憶装置（６０ｂ、６０ｄ）とを含む、機械的に、空気圧的に、かつ電気的に自立式である前記少なくとも２つの試験ユニット（１４）と、
該少なくとも２つの試験ユニット（１４）を管理し、かつ制御するための１つの管理ユニット（１２）であって、ユーザ特有の入力を可能にする入力装置（３２、３４）と、出力装置（３８）と、試験プログラムもしくは試験プログラム命令および試験結果を管理し、かつ前記少なくとも２つの試験ユニット（１４）を制御する処理ユニット（３０）とを含む前記１つの管理ユニット（１２）と、
少なくとも試験プログラム命令および試験結果を伝送するための、前記管理ユニット（１２）と前記少なくとも２つの試験ユニット（１４）との間の双方向または多方向ネットワーク（１６）を介する信号リンクとを含む、フィルタ・システムの試験装置（１０）。
【請求項２】
管理ユニット（１２）の入力装置（３２、３４）が、キーボード（３２）および／またはタッチスクリーン（３４）を備える、請求項１に記載の試験装置（１０）。
【請求項３】
管理ユニット（１２）の出力装置（３８）がプリンタを備える、請求項１または２に記載の試験装置（１０）。
【請求項４】
管理ユニット（１２）がディスプレイ装置（３６）をさらに含む、請求項１〜３のいずれかに記載の試験装置（１０）。
【請求項５】
ディスプレイ装置（３６）がモニタである、請求項４に記載の試験装置（１０）。
【請求項６】
管理ユニット（１２）と少なくとも２つの試験ユニット（１４）との間の信号リンクが、電気的リンク、光学的リンク、赤外線リンク、および／または無線リンクを含む、請求項１〜５のいずれかに記載の試験ユニット（１０）。
【請求項７】
管理ユニット（１２）が、本質的に少なくとも２つの試験装置（１４）を同時に管理することが可能な、請求項１〜６のいずれかに記載の試験装置（１０）。
【請求項８】
管理ユニット（１２）に、最高５つまでの試験ユニット（２４）が割り当てられている、請求項１〜７のいずれかに記載の試験装置（１０）。
【請求項９】
請求項１〜８のいずれかに記載の試験装置（１０）を使用するフィルタ・システムの試験方法であって、
管理ユニット（１２）による少なくとも１つの試験プログラム命令を、少なくとも２つの試験ユニット（１４）に伝送し（ステップＳ１００）、前記少なくとも１つの試験プログラム命令を、該試験プログラムが伝送された前記少なくとも１つの試験ユニット（１４）において実行させる（ステップＳ１２０）ステップと、管理ユニット（１２）内に、少なくとも１つの試験ユニット（１４）の試験結果を記録するステップとを含む、前記フィルタ・システムの試験方法。
【請求項１０】
管理ユニット（１２）が、少なくとも２つの試験ユニット（１４）と本質的に同時に通信する、請求項９に記載のフィルタ・システムの試験方法。
【請求項１１】
請求項１〜８のいずれかに記載の試験装置（１０）を使用する、フィルタ・システムの試験方法であって、
少なくとも２つの試験ユニット（１４）の内の少なくとも１つに伝送される複数の試験プログラム命令の中から、管理ユニット（１２）からの、少なくとも１つの試験プログラム命令を記録するステップ（ステップＳ１００）と、
前記少なくとも１つの試験プログラム命令を、試験プログラムが伝送された前記少なくとも１つの試験ユニット（１４）内で、実行するステップ（ステップＳ１２０）と、
試験結果を、前記少なくとも１つの試験ユニット（１４）から前記管理ユニット（１２）に伝送するステップ（ステップＳ１５０）とを含む、前記フィルタ・システムの試験方法。
【請求項１２】
少なくとも１つの試験プログラム命令を、少なくとも２つの試験ユニット（１４）の一方に記憶させるステップ（ステップＳ１１０）をさらに含む、請求項９〜１１のいずれかに記載のフィルタ・システムの試験方法。
【請求項１３】
試験結果を、少なくとも２つの試験ユニット（１４）の一方に記憶させるステップ（ステップＳ１３０）をさらに含む、請求項９〜１２のいずれかに記載のフィルタ・システムの試験方法。
【請求項１４】
試験結果を処理するステップ（ステップＳ１４０）をさらに含む、請求項１３に記載のフィルタ・システムの試験方法。
【請求項１５】
請求項９〜１４のいずれかに記載の方法を実行するためのプログラム・セクションを含み、フィルタ・システム試験用のコンピュータ・プログラムを内蔵する、コンピュータ可読記憶装置。
【請求項１６】
請求項９〜１５のいずれかに記載の方法を実行するためのコンピュータ・プログラム。
【発明の詳細な説明】
【０００１】
【産業上の利用分野】
本発明は、フィルタ・システムの試験装置、フィルタ・システムの試験方法、フィルタ・システム試験用のコンピュータ・プログラムを内蔵するコンピュータ可読記憶装置、およびフィルタ・システム試験用のコンピュータ・プログラムに関する。
【０００２】
【従来の技術】
フィルタ・システムの試験装置は当該技術分野において公知である。これらの試験装置は、フィルタ装置、特に薄膜フィルタに用いて、例えばフィルタ品質の試験が行われる。このような試験装置は、例えばドイツ特許出願第３９１７８５６Ｃ２号に記載されている。ドイツ特許出願第３９１７８５６Ｃ２号に記載の試験装置は、入力キーボード付きオペレータ・パネルを備える水沫防止プラスチック筐体、ＬＣＤディスプレイ、プリンタ装置、およびその内部に少なくとも一部の電子回路を備える。筐体の下部には、空気圧装置が収容されており、空圧供給源に接続された圧縮ガス取入れ口と、試験対象であるフィルタ・システムに接続された圧力取出し口と、温度センサ配線用の回線とが収容されている。しかしながら、このような試験装置を用いたフィルタの試験は、試験する各フィルタを個別に測定しなくてはならないために、時間を要する。
【０００３】
【発明が解決しようとする課題】
したがって本発明の一目的は、フィルタ・システム試験を改良する、フィルタ・システムの試験装置、フィルタ・システムの試験方法、フィルタ・システム試験用のコンピュータ・プログラムを内臓するコンピュータ可読記憶装置、およびフィルタ・システム試験用のコンピュータ・プログラムを提供することである。
【０００４】
【課題を解決するための手段】
この目的は、特許請求の範囲の請求項１に記載の特徴を有するフィルタ・システムの試験装置と、請求項１１および１３に記載の特徴を有するフィルタ・システムの試験方法と、請求項１７に記載の特徴を有するフィルタ・システム試験用のコンピュータ・プログラムを内蔵するコンピュータ可読記憶装置と、請求項１８に記載の特徴を有するフィルタ・システム試験用のコンピュータ・プログラムによって達成される。また好ましい実施例が、従属請求項において定義されている。
【０００５】
本発明によれば、フィルタ・システムの試験装置であって、
少なくとも２つの試験ユニットであって、それぞれが１つまたは複数のフィルタ装置用の試験プログラムまたは試験プログラム命令の順序を制御する制御ユニットと、該制御ユニットに制御され、特に圧力を供給かつ測定するための空圧ユニットとを備える、前記少なくとも２つの試験ユニットと、
該少なくとも２つの試験ユニットを管理し、かつ制御するための管理ユニットとであって、ユーザ特有入力用の入力装置と、出力装置と、試験プログラムもしくは試験プログラム命令および試験結果を管理し、かつ前記少なくとも２つの試験ユニットを制御する処理ユニットとを備える前記管理ユニットと、
特に試験プログラム命令および試験結果を伝送するための、該管理ユニットと前記少なくとも２つの試験ユニットとの間の双方向または多方向ネットワークを介する信号リンクとを備える、フィルタ・システムの試験装置が提供される。
【０００６】
共通の管理ユニットによって管理される、少なくとも２つの試験ユニットを提供することによって、いくつかのフィルタを同時に好適に試験することができる。さらに試験装置のコストの低減が可能であり、これは試験を管理する装置が単体ユニットとする必要があるのに対して、試験に必要な装置だけが、複数のユニット中に備えられるためである。
管理ユニットと試験ユニット間の双方向もしくは多方向ネットワークを介する信号リンクは、好ましくはイントラネットもしくはインターネット接続を含む。
【０００７】
管理ユニットと少なくとも２つの試験ユニットとの間の通信は、マスター・スレーブ構成とするのが好ましい。特に管理ユニットが、少なくとも２つの試験ユニットを能動的に制御かつ管理するマスター機能を遂行し、少なくとも２つの試験ユニットを、受動的な実行機能を遂行するスレーブと考える。
好ましくは、試験ユニットはさらに試験プログラム命令および／または試験結果を処理するデータ処理ユニットを含む。試験ユニットにデータ処理ユニットを含めることによって、必要なコンピュータ処理の一部を、試験ユニット中で能動的に実行することによって、管理ユニットの負荷を軽減するか、あるいは簡略化することができる。
【０００８】
試験ユニットは、さらに少なくとも１つの試験プログラム命令および／または試験結果を記憶する記憶ユニットをさらに備えるのが好ましい。これによってデータおよび命令に簡単にアクセスすることが保証される。
管理ユニットの入力装置は、キーボードおよび／またはタッチスクリーンを備えるのが好ましい。キーボドードおよび／またはタッチスクリーンを備えることによって、例えばフィルタ試験に関するユーザ定義の入力を行うことが可能となる。
管理ユニットの出力装置は、好ましくは使用した試験パラメータおよび得られた試験結果、特に検定結果をプリントアウトするためのプリンタを備えるのが好ましい。
【０００９】
管理ユニットは、ディスプレイ装置、好ましくはモニタをさらに備える。このディスプレイ装置は、例えば試験パラメータ、試験結果、および／またはフィルタ試験の進行を表示するのに使用される。
好ましい実施例においては、管理ユニットと少なくとも２つの試験ユニットとの間の信号リンクは、電気的リンク、光学的リンク、赤外線リンクおよび／または無線リンクを含む。
管理ユニットは、少なくとも２つの試験ユニットを本質的に同時に管理できることが好ましい。この結果、フィルタ・システムの試験に必要な時間が短縮される。
好ましい実施例においては、最高５つまでの試験ユニットが管理ユニットに割リ付けられる。
【００１０】
本発明はさらに、特に本発明またはその好ましい実施例による試験装置を使用する、フィルタ・システムの試験方法であって、
管理ユニットによる少なくとも１つの試験プログラム命令を、少なくとも２つの試験ユニットに伝送し、前記少なくとも１つの試験プログラム命令を、該試験プログラムが伝送された前記少なくとも１つの試験ユニットにおいて実行させるステップと、管理ユニット内に、少なくとも１つの試験ユニットの試験結果を記録するステップとを含む、前記フィルタ・システムの試験方法を提供する。
前記管理ユニットは、好ましくは前記少なくとも２つの試験ユニットと本質的に同時に通信が可能である。
【００１１】
本発明はさらに、特に本発明またはその好ましい実施例による試験装置を使用する、フィルタ・システムの試験方法であって、
少なくとも２つの試験ユニットの内の少なくとも１つに伝送される複数の試験プログラム命令の中から、管理ユニットからの、少なくとも１つの試験プログラム命令を記録するステップと、
該少なくとも１つの試験プログラム命令を、試験プログラムが伝送された少なくとも１つの試験ユニット内で、実行するステップと、
試験結果を、前記少なくとも１つの試験ユニットから前記管理ユニットに伝送するステップとを含む、前記フィルタ・システムの試験方法。
前記方法は好ましくは、少なくとも１つのプログラム命令を、少なくとも２つの試験ユニットの内の一方に記憶させるステップをさらに含む。
【００１２】
好ましい実施例において前記方法はさらに、試験結果を記憶し、好ましくは少なくとも２つの試験ユニットの１つにおいて処理するステップを含む。
本発明はさらに、フィルタ・システム試験用のコンピュータ・プログラムを内蔵する、コンピュータ可読記憶装置を提供し、このコンピュータ・プログラムが、本発明またはその好ましい実施例による方法を実行するプログラム・セクションを含む。
本発明の他の目的、特徴および利点は、例として示す好ましい実施例の記載と、添付の図面を参照することにより、より明確になるであろう。
【００１３】
【発明の実施の形態】
図１は本発明の好ましい実施例によるフィルタ・システム用の試験装置１０を示す。この発明の試験装置１０は、例えば、フィルタ・キャンドル、あるいはチューブ状、毛管状、または平坦状の薄膜を備えるデッド・エンド・フィルタ、あるいはフィルタ・システム１８（詳細を後述する）などのフィルタを試験するために使用される。
図１に示す発明の試験装置１０は、管理ユニット１２および２つの試験ユニット１４を含む。しかし、管理ユニット１２に３つ以上の試験ユニット１４を接続するか、あるいは接続しておくことも可能である。好ましい実施例においては、最高５つまでの試験ユニット１４を、１つの管理ユニット１２に接続することができる。管理ユニット１２は、双方向または多方向ネットワーク１６を介して、特にインターネットまたはイントラネットを介して試験ユニット１４に接続される。
双方向または多方向ネットワーク１６は、好ましくは電気もしくは電磁気、光、赤外線、および／または無線のリンクを含む。
【００１４】
図２は、管理ユニット１２の概略図である。前記管理ユニット１２は、処理ユニット３０を含み、好ましくはこの処理ユニットが、試験プログラムおよび／または試験プログラム命令を管理し、かつ少なくとも２つの試験ユニット１４を制御するためのプロセッサを含む。管理ユニット１２は、さらに管理ユニット１２を動作させるための命令、特に試験プログラムを開始／終了させる命令を入力するため、および／または試験結果を評価／表示させるための入力装置を含む。前記入力装置には、キーボード３２および／またはタッチスクリーン３４を含めてもよい。管理ユニット１２は、さらにディスプレイ装置３６および出力装置３８を含み、出力装置にはプリンタを含めるのが好ましい。管理ユニット１２は、さらに試験ユニット１４を接続するためのインタフェースまたは試験ユニット・インタフェース４０をさらに備える。前記試験ユニット・インタフェース４０は、好ましくはＲＳ４８５であるが、他のインタフェースも使用可能である。この試験ユニット・インタフェース４０を介して、管理ユニット１２は、試験プログラム命令を試験ユニット１４に好適に伝送し、前記試験ユニットから試験結果を受信することができる。追加のインタフェースまたはＰＣインタフェース４２を介して、管理ユニット１２を、外部コンピュータに接続して、例えば試験ソフトウエアの新バージョンを導入することができる。好ましくは、管理ユニット１２は、さらにフロッピー（登録商標）・ディスクドライブ４４、フラッシュ・ディスク４６、およびブートＲＯＭ４８を含む。管理ユニット１２は、試験ユニット１４用に電源５０を使用する。
【００１５】
試験ユニット１４は、本質的に機械的に、空気圧的に、かつ電気的に自立式の機能ユニットである。試験ユニット１４に対応する試験に必要な流体または圧力を供給するために、試験ユニット１４は、ユーザが直接制御することのできない、供給接続を備えることが好ましい。これらは、試験ユニット・インタフェース４０、好ましくはＲＳ４８５を介して、管理ユニット１２によって完全に遠隔制御される。
試験ユニット１４は、その電気および空圧式周辺機器を用いて、実際のフィルタ試験および一連の追加機能を実行する。少なくとも２つの試験ユニット１４は、好ましくは空間的、位置的に互いに分離され、かつ管理ユニット１２からも分離されている。しかしながら、例えば試験ユニット１４が管理ユニット１２に統合される実施態様、または管理ユニット１２が複数の管理ユニット１４に搭載または装着される実施態様も可能である。
【００１６】
図３は、試験ユニット１４の概略図を示す。すべての試験ユニット１４は、その構成において本質的に同一のものである。しかしながら、個々の試験ユニット１４は、特別な試験の実行を可能にするための、特別の装置を備えることもできる。試験ユニット１４の好ましい一実施例を、図３を参照して次に説明する。
試験ユニット１４は、１つまたは複数のフィルタ・システムについて、一連の試験プログラムまたは試験プログラム命令を制御するための、制御ユニット６０を備える。制御ユニット６０は、好ましくはプロセッサ６０ａ、ＲＡＭ６０ｂ、ＥＥＰＲＯＭ６０ｃ、フラッシュメモリ６０ｄ、および周辺機器６０ｅを含む。制御ユニット６０にはまた、他の好適な装置を含めることができる。
【００１７】
試験ユニット１４は、さらに空圧ユニット６２を備える。空圧ユニット６２は、好ましくはアクチュエータおよびセンサ・エリア６４および空圧エリア６６を含む。このアクチュエータおよびセンサ・エリア６４は、好ましくはバルブ、比例バルブ、温度センサ、および圧力センサ（図示せず）を含む。空圧エリア６６は、好ましくは、ラインと、一体バルブ・リセスを備えるマニフォールド・ブロックと、内部基準タンク（図示せず）を含む。さらに、外部基準タンク（図示せず）を、空圧ユニット６２に接続することができる。
試験ユニット１４は、さらにインタフェースまたは管理ユニット・インタフェース６８を備え、このインタフェースは管理ユニット１２の試験ユニット・インタフェース４０に対応するか、あるいは適合されており、試験ユニット１４を管理ユニット１２に接続するために使用される。好ましい実施例においては、管理ユニット１２の試験ユニット・インタフェース４０がＲＳ４８５の場合には、管理ユニット・インタフェース６８もＲＳ４８５インタフェースとするのが好ましい。管理ユニット・インタフェース６８は、内部的あるいは外部的に試験ユニット１４上に備えることができる。
【００１８】
試験ユニット１４は、さらに外部バルブ７０および外部圧力センサ７２を備える。好ましくは試験ユニット１４は、電源７４、電圧バッファ７６、ベンチレータ７８、および、好ましくは４桁発光ダイオード（図示せず）を有する状態ディスプレイ８０を備える。さらに好ましくは試験ユニット１４は、ハードウエア・インタフェース８２および２つの追加外部出力８４を備える。
試験ユニット１４の主タスクは、様々な方法を使用してフィルタ、好ましくは薄膜フィルタの完全性を試験することである。このために、試験ユニット１４はいくつかの前記のバルブを制御し、圧力と温度を測定する。
【００１９】
試験ユニット１４は本質的に、それ自体のオペレータ・インタフェースを備えていないために（非常スイッチなどを備えることがあるだけで）、試験ユニット１４の動作は、完全に管理ユニット１２との通信を介して、制御されかつ観察される。好ましくは、管理ユニット１２は本質的に複数の試験ユニット１４を、並列または同時に管理することが可能である。管理ユニット１２を、少なくとも２つの試験ユニット１４から空間的に隔離することができることによって、複数のフィルタ・システムを同時に試験することが本質的に可能であり、したがってフィルタ試験に要する時間を低減することができる。他方、複数のフィルタ・システム１８のフィルタ試験は、管理ユニット１２から容易に制御が可能であり、これによって本体から分離した試験ユニットを備える試験システムを、管理ユニット１２を介して中央集中的に制御することができる。
【００２０】
図４は、フィルタまたはフィルタ・システム１８が、回線２０を介して接続された本発明の試験装置１０の概略を示している。図４は、２つの試験ユニット１４のみを示しているが、本発明によれば３つ以上の試験ユニット１４を接続することが可能である。
図５は、本発明の好ましい実施例による試験手順、すなわちフィルタ試験を示すフローチャートである。
【００２１】
手順Ｘによる、フィルタ・ユニットＹについてのフィルタ試験を、試験プログラムとして基準とする。この試験プログラムは、フィルタ試験の手順およびパラメータを定義する。試験プログラムは、少なくとも１つの試験プログラム命令を含む。試験ユニット１４は、好ましくは最大１つのこのような試験プログラムをロードして実行することができる。
次にフィルタ試験の手順を、例を用いて説明する。
最初に、管理ユニット１２がすべての情報、すなわちフィルタ試験に必要な試験プログラムおよび／または試験プログラム命令を、双方向および／または多方向ネットワーク１６を介して試験ユニット１４（ステップＳ１００）に伝送する。
【００２２】
試験ユニット１４は、管理ユニット１２によって伝送されてきた試験プログラムを、好ましくはフラッシュメモリ６０ｄに記憶する（ステップＳ１１０）。次に、試験ユニット１４は、記憶された試験プログラムを実行、すなわち試験ユニット１４は試験プログラムまたは試験プログラム命令に従ってフィルタ試験を実行し（ステップＳ１２０）すると共に、その結果を好ましくはフェイルセイフ方式で、また好ましくはフラッシュメモリに保存する。この結果にはＲＡＭ６０ｂに記憶されたシステム・パラメータも含めてもよい（ステップＳ１３０）。その後、試験結果は、管理ユニット１２に伝送され、受信または検出される（ステップＳ１５０）。
管理ユニット１２は、フィルタ試験の進行を観察することが可能であり、したがって試験ユニット１４から現行データを読み出し、かつ／または評価し、ユーザにディスプレイ装置３６および／または出力装置３８に供給または表示することができる。
【００２３】
好ましくは試験ユニット１４が試験結果を前処理することによって、管理ユニット１２が、試験結果を本質的に変更することなく使用し、またさらに処理することができるようにする〔ステップ１４０〕。言い換えると、試験ユニット１４は、単位を変換し数値データをテキストに変換する。
管理ユニット１２は、次いで好ましくは処理された試験データを試験ユニット１４から読み出すことができる。試験結果を処理するステップは、試験結果を記憶するステップの前または後に設けることができる。
本発明の試験装置１０は、好ましくは妥当性検査機能付き装置であり、すなわち試験対象のフィルタ１８の妥当性検査を試験と同時に実行することができる。
本発明の試験装置１０は、好ましくは以下に示す付加的な機能を備える。
【００２４】
管理ユニット１２は、全試験装置１０またはフィルタ試験のための複数のパラメータを設定する、いわゆるセットアップ機能を備える。これらのパラメータのサブセットが、試験ユニット１４に適用される。つまり試験ユニット１４は以下のサービスまたは機能を提供する。
試験装置１０は、試験ユニット１４の構成を可変にする構成機能をさらに備えることができる。この目的で、管理ユニット１２は、関連する構成パラメータを試験ユニット１４に送信する。管理ユニット１２は、さらに試験ユニット１４から現在有効な構成パラメータを再読み出しすることができる。
【００２５】
さらに、試験装置１０は好ましくは機能試験を含み、この機能試験によってユーザが対話方式で試験ユニット１４の構成要素の機能性能を試験することができる。
試験ユニット１４は、生産およびユーザのための、例えばセンサおよびアクチュエータの機能性能を試験する機能を含む。
試験装置１０はさらに内部センサおよび前記１つの外部圧力センサを較正するための較正機能を含む。
試験装置１０にはまた、試験ユニット１４を清浄化する清浄化機能を含めることもできる。
【００２６】
上述のように、試験装置１０は、ＰＣインタフェース４２を介して外部ＰＣまたはコンピュータに接続することが可能である。更新機能によって、試験ユニット１４のオペレーティング・プログラムを別のバージョンに置き換えることができる。
試験ユニット１４は好ましくは、ハードウエア・インタフェース８２を介してプログラマブル・ロジック回路すなわちＰＬＣによって制御可能であり、すなわちフィルタ試験の開始と停止、および好ましくはフィルタ試験をモニタすること、すなわちフィルタ試験の状態を読み出すことができる。
上記のからわかるように、管理ユニット１２と少なくとも２つの試験ユニット１４の間の通信は、好ましくはマスター・スレーブ構成とする。特に、管理ユニット１２は、マスターの機能を実行し、マスターは少なくとも２つの試験ユニット１４の制御と管理を能動的に行い、少なくとも２つの試験ユニット１４はスレーブとして、受動的な実行機能を実行する。
【００２７】
管理ユニット１２と少なくとも２つの試験ユニット１４との間の通信は、好ましくは定義されたプロトコルを介して行われる。以下の表１は使用可能な好適な通信サービスを示す。
【００２８】
表１
【表１】
0004610844.tif 000002
【００２９】
【表２】
0004610844.tif 000003
以下の表２は好ましい通信機能のリストであり、管理ユニット１２は、マスターとしてこれらの機能を呼び出して、試験ユニット１４と通信することができる。少なくとも２つの試験ユニット１４が備えられているのために、宛て先となる試験ユニット１４の番号またはアドレスを、機能呼び出しの度に伝送する必要がある。好ましくは、これらの通信機能は、個々の機能を固有に割り当てることを可能にする、トランザクション番号を備えるメカニズムを内部に実装している。
【００３０】
表２
【表３】
0004610844.tif 000004
【００３１】
【表４】
0004610844.tif 000005
さらに提案する、コンピュータ・プログラムを内蔵するコンピュータ可読記憶装置によれば、このプログラムは適当な制御命令を含み、コンピュータ・プログラムがコンピュータにロードされたときに、本発明またはその好適な実施例に従う対応する手順を制御することができる。
【図面の簡単な説明】
【図１】  本発明の好ましい実施例によるフィルタ・システム用試験装置の概略図である。
【図２】  本発明の好ましい実施例によるフィルタ・システム用試験装置の管理ユニットの概略図である。
【図３】  本発明の好ましい実施例によるフィルタ・システム用試験装置の試験ユニットの概略図である。
【図４】  試験対象のフィルタ・システムを接続したときの、本発明の好ましい実施例によるフィルタ・システム用試験装置の概略図である。
【図５】  本発明の好ましい実施例による試験手順の進行を示すフローチャートである。
【符号の説明】
１０  試験装置
１２  管理ユニット
１４  試験ユニット
１６  ネットワーク
１８  フィルタ
２０  回線
３０  処理ユニット
３２  キーボード
３４  タッチスクリーン
３６  ディスプレイ
３８  出力装置
４０  試験ユニット・インタフェース
４２  ＰＣインタフェース
４４  フロッピー（登録商標）・ディスクドライブ
４６  フラッシュ・ディスク
４８  ブートＲＯＭ
５０  電圧源
６０  制御ユニット
６０ａ  プロセッサ
６０ｂ  ＲＡＭ
６０ｃ  ＥＥＰＲＯＭ
６０ｄ  フラッシュメモリ
６０ｅ  周辺装置
６２  空圧ユニット
６４  アクチュエータ／センサ領域
６６  空圧領域
６８  管理ユニット・インタフェース
７０  外部バルブ
７２  外部圧力センサ
７４  電源
７６  電圧バッファ
７８  ベンチレータ
８０  状態ディスプレイ
８２  ハードウエア・インタフェース
８４  外部出力
【図１】
0004610844.tif 000006
【図２】
0004610844.tif 000007
【図３】
0004610844.tif 000008
【図４】
0004610844.tif 000009
【図５】
0004610844.tif 000010